(57)【要約】      （修正有）【課題】収納された光ディスクを固定・保護することができるとともに、光ディスクを塵埃から防止する効果を有する光ディスク収納ボックスを提供する。【解決手段】本体１０と、固定素子２０と、上蓋とを含む。該本体は、上端に開口が設けられ、内部に光ディスク収納用の収容空間１１が形成されている。該本体は、頂部両端に唇縁１２が設けられ、各唇縁の下端に分離する凹溝１４が複数設けられている。該固定素子は、本体の頂部唇縁に沿ってスライド可能であり、両端にファスナー２２がそれぞれ形成されており、各ファスナーが該本体の凹溝に係合された場合、該固定素子は、該本体に位置決め可能である。該上蓋は、前記本体の上端に蓋合され、該開口を閉塞する。本光ディスク収納ボックスは、光ディスクの分類及び取り入れを容易にできるとともに、防塵効果を有する。【選択図】図１
0003175869.tif 000002
【実用新案登録請求の範囲】
【請求項１】
上端に開口が設けられ、内部に光ディスク収納用の収容空間が形成され、頂部両端に唇縁が設けられ、各唇縁の下端に分離する凹溝が複数設けられた本体と、
前記本体の頂部両端の唇縁上に跨って設けられた固定素子であって、２つのファスナーと前記２つのファスナーの間に接続された中間板とを含み、前記中間板が前記２つの唇縁の間に位置し、各ファスナーが前記中間板に結合された貼合部と前記貼合部の頂端から外部へ延在したフックとを含み、各ファスナーのフックと貼合部との間にスライド溝が形成され、各ファスナーの貼合部が前記本体の内側壁面に隣接し、各ファスナーのスライド溝が前記本体の一方の唇縁に嵌合されることにより、前記本体の頂部唇縁に沿ってスライド可能であり、各ファスナーのフックが前記本体の凹溝に係合された場合、前記本体に位置決め可能である固定素子と、
前記本体の上端に蓋合され、前記開口を閉塞する上蓋と、
を備えることを特徴とする光ディスク収納ボックス。
【請求項２】
各唇縁の下端に分離する係止部が複数設けられ、各凹溝が隣接した２つの係止部の間に形成され、前記固定素子の中間板の下端にストッパーが延在していることを特徴とする請求項１に記載の光ディスク収納ボックス。
【請求項３】
前記本体の頂部両側に係止体がそれぞれ設けられ、前記上蓋の両側に係止ほぞがそれぞれ設けられ、前記２つの係止ほぞが前記本体の２つの係止体に係合されることを特徴とする請求項１に記載の光ディスク収納ボックス。
【請求項４】
前記本体の底部に滑り止め用の柱ピンが複数設けられていることを特徴とする請求項１に記載の光ディスク収納ボックス。
【考案の詳細な説明】
【技術分野】
【０００１】
本考案は、光ディスク収納ボックスに関し、特に収納ボックスの内容物数量に応じて調整することができ、光ディスクを固定・保護することができる収納ボックスに関するものである。
【背景技術】
【０００２】
従来、光ディスクの収納は、綿入りカバー、紙カバー、又はプラスチック製透明アクリル材質を利用して包装することが一般的である。綿入りカバー又は紙カバーを利用して単一の光ディスクを収容する場合は、使用上に整理及び分類が容易にできず、光ディスクが損傷・破裂することがある。プラスチック製アクリル材質のハウジングを利用してワンピース又は複数ピースの光ディスクを包装する場合は、使用上に、光ディスクを包装したハウジングが衝突によって破裂しやすく、光ディスクの損害にもなる虞がある。
【０００３】
台湾実用新案第Ｍ３３７５５３号においては、ベースと前記ベースに固定分離可能に設けられたハウジングとを含み、ベースに光ディスクが収容され、ハウジングに少なくとも一つの収容空間及びハンドルが設けられ、ハウジングの収容空間に光ディスクが積層され、ハンドルがハウジングに枢設され該ハウジングに当接された状態と該ハウジングから離れた状態との間に枢動可能であり、光ディスクの収納及び取り出し携帯を容易にできる光ディスク収納ボックスが提案されている。しかしながら、取り出し使用の場合に、光ディスク表面の印刷層が容易に傷つき、光ディスクに読み取りエラーが発生する虞がある。
【０００４】
台湾実用新案第Ｍ３２７０７０号においては、挟持板と、第１の連結部材と、第２の連結部材と、第３の連結部材とを含み、内部にＣＤディスク収容空間が設けられた四方体に形成され、挟持板が傾斜状の開口として形成され、ＣＤディスクが傾斜の開口に沿ってＣＤラックに入れられた場合、ＣＤディスクが挟持板の開口に係止されるＣＤラックが提案されている。しかしながら、ユーザがＣＤディスクを取り出す場合は、収容空間内のその他のＣＤディスクが傾倒することがあり、また、ＣＤディスクは開放空間に放置されているため、塵埃の汚染によって汚れることがある。
【先行技術文献】
【特許文献】
【０００５】
【特許文献１】台湾実用新案登録第 Ｍ３３７５５３号明細書
【特許文献２】台湾実用新案登録第 Ｍ３２７０７０号明細書
【考案の概要】
【考案が解決しようとする課題】
【０００６】
そこで、本考案は、光ディスクを効率的に分類・取り入れることができ、収納された光ディスクを固定・保護することができるとともに、光ディスクを塵埃から防止する効果を有する光ディスク収納ボックスを提供することを目的とする。
【課題を解決するための手段】
【０００７】
本考案に係る光ディスク収納ボックスは、本体と、固定素子と、上蓋とを含む。該本体は、上端に開口が設けられ、内部に光ディスク収納用の収容空間が形成されている。該本体は、頂部両端に唇縁が設けられ、各唇縁の下端に分離する凹溝が複数設けられている。該固定素子は、本体の頂部唇縁に沿ってスライド可能であり、両端にファスナーがそれぞれ形成されており、各ファスナーが該本体の凹溝に係合された場合、該固定素子は、該本体に位置決め可能であり、収納された光ディスクを固定・保護することができる。該上蓋は、前記本体の上端に蓋合され、該開口を塵埃から閉塞するように機能する。
【考案の効果】
【０００８】
本考案に係る光ディスク収納ボックスによれば、光ディスクの分類、取り入れ、防塵を容易にできるともに、収納された光ディスクを位置決め・保護することができる効果を有する。
【図面の簡単な説明】
【０００９】
【図１】本考案に係る光ディスク収納ボックスの固定素子が本体上に組み付けられた立体図を示す。
【図２】図１の側面図を示す。
【図３】図１の局所拡大図を示す。
【図４】図１の固定素子の拡大立体図を示す。
【図５】本考案に係る光ディスク収納ボックスの立体図を示す。
【考案を実施するための形態】
【００１０】
図１ないし図５は、本考案に係る光ディスク収納ボックスを示す。該光ディスク収納ボックスは、本体１０と、固定素子２０と、上蓋３０とを含む。本体１０は、上端が開口として形成された容器であり、上蓋３０は、本体１０の上端に蓋合され該開口を閉塞し、両側に係止ほぞ３１がそれぞれ設けられている。本体１０は、頂部の両側に係止体１５がそれぞれ設けられ、上蓋３０が本体１０の上端に被覆された場合、各係止体１５は、その一方の係止ほぞ３１に係止され、上蓋３０を固定することができる。本体１０の頂部両端に唇縁１２が設けられ、各唇縁１２の下端に分離する係止部１３が複数設けられ、隣接した２つの係止部１３の間には凹溝１４が設けられている。さらに、本体１０の内部には複数の光ディスク収納用の収容空間１１が形成されている。本体１０の底部には滑り止め用の柱ピン１１２が複数設けられている。
【００１１】
固定素子２０は、本体１０の頂部両端に跨って設けられている。固定素子２０は、２つのファスナー２２と該２つのファスナー２２の間に接続された中間板２１とを含み、中間板２１が本体１０の２つの唇縁１２の間に位置し、中間板２１の下端にストッパー２３が延在している。各ファスナー２２は、中間板２１に結合された貼合部２２１と貼合部２２１の頂端から外部へ延在するフック２２２とを含み、各ファスナー２２のフック２２２と貼合部２２１との間にスライド溝２２３が形成されている。各ファスナー２２の貼合部２２１は、本体１０の内側壁面１１１に隣接し、各ファスナー２２のスライド溝２２３は、本体１０の一方の唇縁１２に嵌合され、これにより固定素子２０は本体１０の頂部唇縁１２にスライド可能となる。各ファスナー２２のフック２２２が本体１０の凹溝１４に対応して係合された場合、固定素子２０は、本体１０に位置決め可能である。
【００１２】
本考案に係る光ディスク収納ボックスは、使用上に、ユーザが、収容空間１１に収容された光ディスクの数量に応じて固定素子２０の中間板２１を押し動かすことにより、中間板２１の下端のストッパー２３を光ディスクに当接させ、収納された光ディスクを固定することができる。従って、ユーザは、光ディスクの分類及び取り入れが容易にできるように、固定素子２０の位置を必要に応じていつでも調整することができる。さらに、ファスナー２２が本体１０の凹溝１４に係合された場合、該固定素子２０は、収納された光ディスクを固定・保護することができる。また、上蓋３０が本体１０の上端に被覆され、係止ほぞ３１が本体１０の係止体１５に係着されることにより、光ディスクを塵埃から守る効果を有する。
【００１３】
上記のように、これらの実施の形態は本考案の好ましい実施例のみであり、本考案の特許請求の範囲に基づいてなされる等価の変更や修飾は、本考案の技術範囲に入るものである。
【００１４】
以上のように、本考案では、上端に開口が設けられ、内部に光ディスク収納用の収容空間が形成され、頂部両端に唇縁が設けられ、各唇縁の下端に分離する凹溝が複数設けられた本体と、前記本体の頂部両端の唇縁上に跨って設けられた固定素子であって、２つのファスナーと前記２つのファスナーの間に接続された中間板とを含み、前記中間板が前記２つの唇縁の間に位置し、各ファスナーが前記中間板に結合された貼合部と前記貼合部の頂端から外部へ延在したフックとを含み、各ファスナーのフックと貼合部との間にスライド溝が形成され、各ファスナーの貼合部が前記本体の内側壁面に隣接し、各ファスナーのスライド溝が前記本体の一方の唇縁に嵌合されることにより、前記本体の頂部唇縁に沿ってスライド可能であり、各ファスナーのフックが前記本体の凹溝に係合された場合、前記本体に位置決め可能である固定素子と、前記本体の上端に蓋合され、前記開口を閉塞する上蓋と、を備えることを特徴とする光ディスク収納ボックスするものである。
【００１５】
また、各唇縁の下端に分離する係止部が複数設けられ、各凹溝が隣接した２つの係止部の間に形成され、前記固定素子の中間板の下端にストッパーが延在しているものとする。
【００１６】
また、前記本体の頂部両側に係止体がそれぞれ設けられ、前記上蓋の両側に係止ほぞがそれぞれ設けられ、前記２つの係止ほぞが前記本体の２つの係止体に係合されるものとする。
【００１７】
また、前記本体の底部に滑り止め用の柱ピンが複数設けられているものとする。
【産業上の利用可能性】
【００１８】
本考案に係る光ディスク収納ボックスによれば、光ディスクの分類、取り入れ、防塵を容易にできるともに、収納された光ディスクを位置決め・保護することができる効果を有する。
【符号の説明】
【００１９】
１０  本体
１１  収容空間
１１１  壁面
１１２  柱ピン
１２  唇縁
１３  係止部
１４  凹溝
１５  係止体
２０  固定素子
２１  中間板
２２  ファスナー
２２１  貼合部
２２２  フック
２２３  スライド溝
２３  ストッパー
３０  上蓋
３１  係止ほぞ
【図１】
0003175869.tif 000003
【図２】
0003175869.tif 000004
【図３】
0003175869.tif 000005
【図４】
0003175869.tif 000006
【図５】
0003175869.tif 000007